(57)【要約】      （修正有）【課題】カードコネクターへの電子カードの挿入或いは退出を導引するカードコネクターの導引装置の提供。【解決手段】絶縁台体１内部の挿入接続空間１１に端子組１２及びスライド槽１３を設置し、上方は遮蔽殻体２で覆う。該遮蔽殻体は表面に貫通状の導引部２１を設置し、しかも該導引部は弾性空間２１３を設置し、該弾性空間両側から徐々に縮小する定位槽２１１、位置限定槽２１２をそれぞれ延伸し設置する。該導引部により導引設置する位置限定部品３４を導引凸体３４１により伸入させ、該位置限定部品は該導引装置３のスライド移動台３１上に固設し、外へと湾折し、該挿入接続空間に延伸入する係合制御弾きアーム３４２を設置する。さらにスライド移動台により該絶縁台体のスライド槽内に可動設置し、その片側は該スライド槽側壁面間に対応し導引装置を設置したカードコネクターの導引装置。【選択図】図２
0003140946.tif 000002
【実用新案登録請求の範囲】
【請求項１】
カードコネクターへの電子カードの挿入或いは退出を導引する装置で、少なくとも絶縁台体、遮蔽殻体、導引装置を含み、
該絶縁台体内部には端子組を備える挿入接続空間を設置し、しかも該端子組側辺にはスライド槽を設置し、
該遮蔽殻体は該絶縁台体の挿入接続空間上方において覆蓋し、表面には貫通状の導引部を相対設置し、しかも該導引部には弾性空間を設置し、該弾性空間の両側から徐々に縮小する定位槽、位置限定槽をそれぞれ延伸し設置し、
該導引装置は該絶縁台体のスライド槽内に可動設置し、該スライド槽内においてスライド移動するスライド移動台を設置し、しかも該スライド移動台片側には該スライド槽側壁面間に相対し導引装置を設置し、反対側には位置限定部品を設置し、しかも該位置限定部品上には該遮蔽殻体の導引部内に伸入する導引凸体を設置し、該導引凸体より外へと湾折し、該挿入接続空間に延伸入する係合制御弾きアームを設置することを特徴とするカードコネクターの導引装置。
【請求項２】
請求項１記載のカードコネクターの導引装置において、前記絶縁台体のスライド槽は内側壁面に突出したガード棒を設置し、該ガード棒側辺には固定孔を設置することを特徴とするカードコネクターの導引装置。
【請求項３】
請求項１記載のカードコネクターの導引装置において、前記導引装置が該スライド移動台において棒体を利用し弾性体を被せ設置し、該弾性体の側辺には導引棒部品を設置し、しかも該導引棒部品片側には下方へと湾折するスライド棒を備え、該スライド棒を利用し該スライド移動台片側の導引軌道に嵌入することができることを特徴とするカードコネクターの導引装置。
【請求項４】
請求項１記載のカードコネクターの導引装置において、前記スライド移動台は該導引軌道の反対側に相対し、U型形状の係合制御槽を設置し、該係合制御槽を利用しU型形状の位置限定部品を嵌合し固定することを特徴とするカードコネクターの導引装置。
【請求項５】
請求項４記載のカードコネクターの導引装置において、前記位置限定部品は金属片対によりU型形状に一体成型し、片側には円弧状を呈する係合制御弾きアームを設置し、しかも該係合制御弾きアーム後側の位置限定部品側縁は上方へと導引凸体を突出し設置することを特徴とするカードコネクターの導引装置。
【請求項６】
請求項１記載のカードコネクターの導引装置において、前記遮蔽殻体の表面に設置する導引部は両側の定位槽及び位置限定槽の間の弾性空間内に位置限定ガード片を設置することを特徴とするカードコネクターの導引装置。
【考案の詳細な説明】
【技術分野】
【０００１】
本考案はカードコネクターの導引装置に関する。特に電子カードの進出において位置を限定し導引するカードコネクターの装置で、しかも位置限定部品の導引凸体が遮蔽殻体の導引部内において滑動することにより、所定の電子カードが反発しカードコネクターを離脱することを防止可能なカードコネクターの導引装置に係る。
【背景技術】
【０００２】
ハイテク時代における先端開発と進歩に従い、コンピュータ、携帯電話端末、PDA、デジカメ、デジタルビデオカメラ、デジタルレコーダーなどの各種電子製品は多機能設計に向っている。しかも、電子製品はその内部にカードコネクターを設置し、電子カード(メモリーカード)を挿入接続し、文書、或いは静態及び動態の画像データを記録、記憶する必要がある。該メモリーカードの多くはマルチメディアカード(MMC)、セキュリティデジタルカード(SD)、スマートメディアカード(SM)、コンパクトフラッシュ（登録商標）カード(CF)、メモリースティックカード(MS)と、これらカードを基礎とし設計を改良し得られたメモリーカードに分類される。
【０００３】
現在の電子製品はコンパクト化の方向へと発展しているため、メモリーカードとカードコネクターもどんどん小さくなっている。メモリーカードのコネクターへの挿入或いは退出の便のため、カードコネクター内部には必ずカード退出装置が設置されている。すなわち、PUSH-PUSH機能(２回のプッシュを利用し、一回の循環動作を完成させる)を備え、メモリーカードのコネクターへの挿入或いは退出を導引する。
しかし、カード退出装置はバネの圧迫を受けるため、カード退出時にバネの弾力によりメモリーカードをカードコネクター外部に押し出すが、実際のカード退出時にプッシュの圧力が大き過ぎれば、バネの反発力が大きくなり過ぎ、メモリーカードをカードコネクター外部へと弾き出してしまい、メモリーカードの損壊或いは遺失を招きかねない。
【０００４】
本考案者は上記公知のカードコネクターの欠点を解決するため、特許文献１の特徴を以下に記載する。
図８に示すように、金属蓋Aには位置限定槽A１を開設する。該位置限定槽A１の起点は幅広槽位置A１１で、しかも内部へと延伸し狭長槽位置A１２を形成する。
カード進退出装置Bは湾曲状のカードフックB１を設置し、一端は嵌合部B１１で、反対端は弾きアームB１２で、及び上方へと位置限定凸片B１３を延伸する。
該位置限定凸片B１３は該金属蓋Aの位置限定槽A１内に相対し嵌入し、こうして該位置限定凸片B１３は該位置限定槽A１に従い進退移動する。カード退出行程時には、該位置限定凸片B１３は該狭長槽位置A１２を通過し、該幅広槽位置A１１に徐々に戻り、こうして該カードフックB１の弾きアームB１２は該狭長槽位置A１２における行程中において偏ることはない。しかもメモリーカードを継続し引っ掛け、該位置限定凸片B１３が該幅広槽位置A１１に戻ると、該カードフックB１の弾きアームB１２は釈放される。
【０００５】
【特許文献１】台湾実用新案第M320771号明細書
【０００６】
本考案者は前案の構造設計において、なお以下のような進歩の余地があると考える。
１．メモリーカードの進入、退出時に、該位置限定槽A１の狭長槽位置A１２はカードフックB１の位置限定凸片B１３を制限するため、該位置限定凸片B１３は行程において、導引装置のハート形状導引軌道に対応する左右への偏移を行うことができず、該位置限定凸片B１３の湾折変形或いは断裂を招き易い。
２．メモリーカードがまだ押されていない時、カード進退出装置Bの該位置限定凸片B１３は幅広槽位置A１１内にあり、一切の位置限定作用を受けていないため、メモリーカードが挿入されカードフックB１が押されると、該位置限定凸片B１３は幅広槽位置A１１内において偏移し、メモリーカードの定位が不能となり、偏りや揺れが起きる。
よって、公知のカードコネクターと前案のカードコネクターのメモリーカード挿入退出時の不安定状態をいかにして解決するかは、本考案者と当業界に属する関連業者の課題であった。
【考案の開示】
【考案が解決しようとする課題】
【０００７】
カードコネクターへの電子カードの挿入或いは退出を導引する装置で、絶縁台体内部の挿入接続空間に端子組及びスライド槽を設置し、上方は遮蔽殻体で覆い、
該遮蔽殻体は表面に貫通状の導引部を設置し、しかも該導引部は弾性空間を設置し、該弾性空間両側から徐々に縮小する定位槽、位置限定槽をそれぞれ延伸し設置し、
導引装置の位置限定部品は導引凸体により伸入させ、該位置限定部品は該導引装置のスライド移動台上に固設し、外へと湾折し、該挿入接続空間に延伸入する係合制御弾きアームを設置し、さらにスライド移動台により挿入接続空間のスライド槽内に可動設置し、
これにより該スライド移動台を利用し所定の電子カードを挿入接続空間内に導引しスライド移動させ、しかも位置限定部品の導引凸体により該導引部内においてスライド移動させ、所定の電子カードが弾き飛び出しカードコネクターから離脱する状況を防止することができる。
【課題を解決するための手段】
【０００８】
請求項１の考案は、カードコネクターへの電子カードの挿入或いは退出を導引する装置で、少なくとも絶縁台体、遮蔽殻体、導引装置を含み、
該絶縁台体内部には端子組を備える挿入接続空間を設置し、しかも該端子組側辺にはスライド槽を設置し、
該遮蔽殻体は該絶縁台体の挿入接続空間上方において覆蓋し、表面には貫通状の導引部を相対設置し、しかも該導引部には弾性空間を設置し、該弾性空間の両側から徐々に縮小する定位槽、位置限定槽をそれぞれ延伸し設置し、
該導引装置は該絶縁台体のスライド槽内に可動設置し、該スライド槽内においてスライド移動するスライド移動台を設置し、しかも該スライド移動台片側には該スライド槽側壁面間に相対し導引装置を設置し、反対側には位置限定部品を設置し、しかも該位置限定部品上には該遮蔽殻体の導引部内に伸入する導引凸体を設置し、該導引凸体より外へと湾折し、該挿入接続空間に延伸入する係合制御弾きアームを設置することを特徴とするカードコネクターの導引装置としている。
請求項２の考案は、請求項１記載のカードコネクターの導引装置において、前記絶縁台体のスライド槽は内側壁面に突出したガード棒を設置し、該ガード棒側辺には固定孔を設置することを特徴とするカードコネクターの導引装置としている。
請求項３の考案は、請求項１記載のカードコネクターの導引装置において、前記導引装置が該スライド移動台において棒体を利用し弾性体を被せ設置し、該弾性体の側辺には導引棒部品を設置し、しかも該導引棒部品片側には下方へと湾折するスライド棒を備え、該スライド棒を利用し該スライド移動台片側の導引軌道に嵌入することができることを特徴とするカードコネクターの導引装置としている。
請求項４の考案は、請求項１記載のカードコネクターの導引装置において、前記スライド移動台は該導引軌道の反対側に相対し、U型形状の係合制御槽を設置し、該係合制御槽を利用しU型形状の位置限定部品を嵌合し固定することを特徴とするカードコネクターの導引装置としている。
請求項５の考案は、請求項４記載のカードコネクターの導引装置において、前記位置限定部品は金属片対によりU型形状に一体成型し、片側には円弧状を呈する係合制御弾きアームを設置し、しかも該係合制御弾きアーム後側の位置限定部品側縁は上方へと導引凸体を突出し設置することを特徴とするカードコネクターの導引装置としている。
請求項６の考案は、請求項１記載のカードコネクターの導引装置において、前記遮蔽殻体の表面に設置する導引部は両側の定位槽及び位置限定槽の間の弾性空間内に位置限定ガード片を設置することを特徴とするカードコネクターの導引装置としている。
【考案の効果】
【０００９】
本考案はカードコネクターにカードを挿入、退出させる時に、導引装置の位置限定部品を利用し、遮蔽殻体の導引部を対応させ、電子カードを絶縁台体の挿入接続空間に挿入する時、電子カードを導引し安定的な挿入退出を実現し、しかもカードの飛び出し現象は発生しない。位置限定部品の導引凸体は導引部内に伸入させるだけで、導引部に弾性空間を設置し、しかも弾性空間は両側からそれぞれ延伸し徐々に縮小する定位槽、位置限定槽設計を呈し、導引凸体をスムーズにスライド移動させる長所を備えるため、導引凸体は引っ掛かり、湾曲或いは断裂の状況が発生することはない。
【考案を実施するための最良の形態】
【００１０】
本考案の立体外観図、立体分解図、平面図である図１、２、３に示すように、本考案カードコネクターの導引装置は絶縁台体１、遮蔽殻体２、導引装置３を含み組成する。
該絶縁台体１内部には挿入接続空間１１を備え、該挿入接続空間１１内には端子組１２を設置する。しかも該端子組１２側辺にはスライド槽１３を設置し、該スライド槽１３の内側壁面上にはガード棒１３１、固定孔１３２を設置する。
該遮蔽殻体２はコの字型で、頂点部表面には貫通状の導引部２１を設置する。しかも該導引部２１には弾性空間２１３を設置し、該弾性空間２１３の両側から徐々に縮小する定位槽２１１、位置限定槽２１２をそれぞれ延伸し設置する。
【００１１】
該導引装置３はスライド移動台３１を備え、該スライド移動台３１片側には棒体３１１を突出設置し、該棒体３１１上には弾性体３１２を設置する。該棒体３１１側辺にはハート形状の導引軌道３２を設置する。こうして該導引軌道３２は導引棒部品３２１のスライド棒３２２を嵌入可能で、該導引棒部品３２１片側は下方へと湾折しスライド棒３２２を設置し、反対側は下方へと湾折し固定棒３２３を設置する。こうして該導引軌道３２は該スライド棒３２２に従いスライド動、推移を行い、該導引軌道３２内の適当な位置には係合サポート凹槽３２４を設置する。さらに該導引軌道３２反対側のスライド移動台３１上には係合制御槽３３を設置する。しかも該係合制御槽３３はU型形状を呈し、該係合制御槽３３を利用し該U型形状の位置限定部品３４を嵌設固定することができる。また該位置限定部品３４は側縁において上向きに導引凸体３４１を設置する。こうして該導引凸体３４１は側辺より外に向かい延伸し円弧状の係合制御弾きアーム３４２を設置し、該係合制御槽３３側辺のスライド移動台３１側辺において斜面状の接触固定面３５を設置する。
【００１２】
上記各構成部品を組立てる時には、該絶縁台体１の挿入接続空間１１上方において該遮蔽殻体２により覆蓋し、しかも該挿入接続空間１１内のスライド槽１３により該導引装置３のスライド移動台３１を可動設置し、該スライド移動台３１片側の弾性体３１２を利用し、該スライド槽１３内側壁面のガード棒１３１位置に被せ設置する。該スライド移動台３１上の導引棒部品３２１は片側の固定棒３２３により該スライド槽１３内側壁面の固定孔１３２内に嵌設し、こうして該スライド移動台３１反対側の位置限定部品３４は該係合制御弾きアーム３４２により延伸し該挿入接続空間１１内に入り、該位置限定部品３４上の導引凸体３４１は該遮蔽殻体２の導引部２１内に伸び入り、本考案のカードコネクターの組立てを完成する。
【００１３】
本考案の立体分解図、電子カード挿入前の平面図、電子カード挿入時の平面図、電子カード挿入後の平面図である図２、４、５、６に示すように、本考案のカードコネクターの使用時には、該絶縁台体１の挿入接続空間１１を利用し電子カード４を挿入することができる。しかも該電子カード４のガード斜面４１は先ず該位置限定部品３４の係合制御弾きアーム３４２に接触するが、該位置限定部品３４の導引凸体３４１は該遮蔽殻体２の導引部２１の定位槽２１１内に伸び入り、位置を限定される。こうして電子カード４は該係合制御弾きアーム３４２を側辺へと推移させることができなくなるため、電子カード４は該ガード斜面４１により該位置限定部品３４を該挿入接続空間１１内へと押上げ、該スライド移動台３１を押し該スライド槽１３内においてスライド動させる。並びに、該スライド移動台３１上の該位置限定部品３４の導引凸体３４１を該弾性空間２１３の位置へと押し移動させ、これにより該電子カード４のガード斜面４１により該係合制御弾きアーム３４２を側辺へと押し上げる。しかも該電子カード４のガード斜面４１は該スライド移動台３１側辺の接触固定面３５に密着する。該スライド移動台３１上の該位置限定部品３４の係合制御弾きアーム３４２は該電子カード側辺の係合槽４２内において係合制御され、こうして電子カード４は該スライド移動台３１側辺に係合制御される。こうしてさらに該電子カード４を該挿入接続空間１１内へと押し入れることができ、該スライド移動台３１前側のハート形状の導引軌道３２を利用し、該導引棒部品３２１のスライド棒３２２外部に従い押し、スライド移動させる。これにより該導引軌道３２内の係合サポート凹槽３２４はスライド移動し、該スライド棒３２２位置に係合制御され、該導引棒部品３２１片側の弾性体３１２は該スライド移動台３１前側と該スライド槽１３の内側壁面のガード棒１３１間において圧迫される。こうして該電子カード４上の金属接触面４３は該挿入接続空間１１の端子組１２上に密着し電気的に連接し、該電子カード４を該挿入接続空間１１内に安定的に挿入し、しかも該スライド移動台３１の位置限定部品３４上の導引凸体３４１は、該導引部２１の定位槽２１１片側の斜面より、該弾性空間２１３内にスライド進入する。さらに該弾性空間２１３反対側の斜面を経由し、該位置限定槽２１２内にスライド進入し、該導引凸体３４１を該位置限定槽２１２内に係合制御する。
【００１４】
もし該電子カード４を該絶縁台体１の挿入接続空間１１から退出させる時には、該電子カード４を該挿入接続空間１１内へと再度押しスライド移動させる。これにより該スライド移動台３１上の導引軌道３２内の係合サポート凹槽３２４は該導引棒部品３２１のスライド棒３２２を退出させ、該導引軌道３２の移動を経て、該導引棒部品３２１側辺の弾性体３１２の圧縮後の弾性回復力を対応させ、該スライド移動台３１を該挿入接続空間１１外へと押し移動させ、該電子カード４を該挿入接続空間１１外へと押し出す。但し、該電子カード４は直ちに該挿入接続空間１１から退出する訳ではなく、該スライド移動台３１上の位置限定部品３４の導引凸体３４１が定位槽２１１内にスライド移動することを受け、該係合制御弾きアーム３４２を利用し、該電子カード４の係合槽４２内において係合される。こうしてさらに該電子カード４を該挿入接続空間１１から引き出すだけで、該係合槽４２は該係合制御弾きアーム３４２の係合制御から退出し、カード退出作業を完成することができ、電子カード４が押し出され、該挿入接続空間１１外へと直接飛び出すことを防止することができる。これにより、カードの飛び出し現象発生を防止する目的を達成し、電子カード４が飛び出すことにより他の物体に衝突し損壊し、或いは遺失する状況を避けることができる。
【００１５】
しかも該位置限定部品３４は金属板体を利用し一体成型し、U型形状に成型し、側辺に上向きに突出設置する導引凸体３４１は該遮蔽殻体２の導引部２１内に嵌入し、該スライド移動台３１が該位置限定部品３４のスライド移動を連動する時、該導引凸体３４１は該導引部２１の定位槽２１１、弾性空間２１３より該位置限定槽２１２内へと移動し、該スライド移動台３１のハート形状の導引軌道３２両側の比較的幅が広い位置に対応し、該導引凸体３４１が該弾性空間２１３内においてスライド移動する時、押し移動、スライド移動に十分な空間があり、湾曲変形或いは断裂の状況は発生しない。電子カード４が挿入され定位される時、該導引凸体３４１は該位置限定槽２１２内に移動し入り係合制御を形成する。電子カード４が退出する時には、該導引凸体３４１は該定位槽２１１内へと移動し係合制御し、該導引凸体３４１の順調なスライド移動動作を達成する。また該スライド移動台３１に対応し電子カード４の挿入或いは退出動作を連動し、安定的で迅速にカードの挿入と退出を行うことができる。
上記のカードコネクターと電子カード４の規格はミニカード、PCMCIAカード、マルチメディアカード(MMC)、セキュリティデジタルカード(SD)、スマートメディアカード(SM)、コンパクトフラッシュ（登録商標）カード(CF)、メモリースティックカード(MS)などの規格、或いはパウムコンピュータ、デジカメのメモリーカードなどの規格に符合する。しかもカードコネクターの絶縁台体１、遮蔽殻体２、導引装置３なども上記規格の設計に符合する。
【００１６】
本考案最適実施例の立体分解図である図７に示すように、本考案の遮蔽殻体２は導引部２１の弾性空間２１３位置において、位置限定ガード片２１４を突出設置し、比較的大型の電子カード４に適用することができる。該電子カード４が該絶縁台体１の挿入接続空間１１に挿入されると、該位置限定部品３４の導引凸体３４１を利用し該導引部２１内に進入し、しかも該位置限定部品３４の係合制御弾きアーム３４２は延伸し該スライド移動台３１に位置する係合制御槽３３外に位置する。並びに、該係合制御槽３３において比較的幅が広い弾性変形空間３３１を設置し、これにより該係合制御弾きアーム３４２は該弾性変形空間３３１内において偏移し、こうして該導引凸体３４１はが弾性空間２１３と該位置限定ガード片２１４間において移動する時、該係合制御弾きアーム３４２は該電子カード４側辺において一先ず定位しないため、該電子カード４は順調に挿入される。しかも該導引凸体３４１が圧迫を受け、湾曲変形或いは断裂の状況が発生することもない。
【００１７】
上記は本考案の最適実施例に過ぎず、本考案の実用新案範囲を限定するものではない。本考案のカードコネクターは絶縁台体１のスライド移動台３１上において位置限定、導引機能を備える位置限定部品３４を設置し、該位置限定部品３４上の導引凸体３４１を利用し、該遮蔽殻体２の導引部２１内に可動伸び入り、該導引部２１に設置する弾性空間２１３を利用し、両側からそれぞれ延伸し徐々に縮小する状態の定位槽２１１、位置限定槽２１２を呈し、こうして該導引凸体３４１は伸入し、位置限定スライド移動を行うことができる。さらに係合制御弾きアーム３４２を利用し電子カード４の係合槽４２を係合し、電子カード４が絶縁台体１の挿入接続空間１１から退出する時にも、弾き出される飛び出し現象を防止することができる。また該位置限定部品３４の係合制御弾きアーム３４２を利用し、該導引部２１内のスライド移動において、該導引部２１の幅の変化設計を受け、カードの挿入と退出が迅速になり、にもかかわらず行程を安全で安定化させる目的を達成する。
【００１８】
本考案のカードコネクターの導引装置は実際の使用時に、以下のような長所を備える。
１．スライド移動台３上の位置限定部品３４は、導引凸体３４１により遮蔽殻体２の導引部２１内においてスライド移動し、導引部２１は弾性空間２１３を設置し、しかも弾性空間２１３は両側からそれぞれ延伸し徐々に縮小する定位槽２１１、位置限定槽２１２設計を呈し、これにより導引凸体３４１は導引部２１内に伸入し、電子カード４の挿入前、挿入後、及び退出時に、共に安定的に位置を限定し、電子カード４の挿入が偏移せず、退出時にも弾き飛ばされる状況は発生しない。
２．位置限定部品３４上の導引凸体３４１は、該導引部２１の起点位置の定位槽２１１内に位置し、係合位置限定を受けるため、電子カード４は挿入接続空間１１に挿入される時、二段式の挿入設置定位を形成し、電子カード４の正確な定位が確定後、電子カードは初めて挿入接続空間１１内に押し入れられ、こうして挿入、移動の行程はスムーズで安定し、電子カード４の偏移或いは歪みが発生することはない。
３．スライド移動台３１はPUSH-PUSH動作(２回のプッシュを利用し、一回の循環動作を完成させる)を行う時、ハート形状の導引軌道３２両側の最も広い位置において、導引棒部品３２１のスライド棒３２２がスライド動を行う時、スライド移動台３１の位置限定部品３４上の導引凸体３４１は、導引部２１の弾性空間２１３内に伸入し、こうして導引凸体３４１はスライド動、移動し、引っ掛かり現象は発生せず、導引凸体３４１の湾曲変形或いは断裂の状況は発生しない。
【００１９】
本考案はカードコネクターにカードを挿入、退出させる時に、導引装置の位置限定部品を利用し、遮蔽殻体の導引部を対応させ、電子カードを絶縁台体の挿入接続空間に挿入する時、電子カードを導引し安定的な挿入退出を実現し、しかもカードの飛び出し現象は発生しない。位置限定部品の導引凸体は導引部内に伸入させるだけで、導引部に弾性空間を設置し、しかも弾性空間は両側からそれぞれ延伸し徐々に縮小する定位槽、位置限定槽設計を呈し、導引凸体をスムーズにスライド移動させる長所を備えるため、導引凸体は引っ掛かり、湾曲或いは断裂の状況が発生することはない。
【図面の簡単な説明】
【００２０】
【図１】本考案の立体外観図である。
【図２】本考案の立体分解図である。
【図３】本考案の平面図である。
【図４】本考案の電子カード挿入前の平面図である。
【図５】本考案の電子カード挿入時の平面図である。
【図６】本考案の電子カード挿入後の平面図である。
【図７】本考案最適実施例の立体分解図である。
【図８】公知構造の立体分解図である。
【符号の説明】
【００２１】
１  絶縁台体
１１  挿入接続空間
１２  端子組
１３  スライド槽
１３１  ガード棒
１３２  固定孔
２  遮蔽殻体
２１  導引部
２１１  定位槽
２１２  位置限定槽
２１３  弾性空間
２１４  位置限定ガード片
３  導引装置
３１  スライド移動台
３１１  棒体
３１２  弾性体
３２  導引軌道
３２１  導引棒部品
３２２  スライド棒
３２３  固定棒
３２４  係合サポート凹槽
３３  係合制御槽
３３１  変形空間
３４  位置限定部品
３４１  導引凸体
３４２  係合制御弾きアーム
３５  接触固定面
４  電子カード
４１  ガード斜面
４２  係合槽
４３  金属接触面
A  金属蓋
A１  位置限定槽
A１１  幅広槽位置
A１２  狭長槽位置
B  カード進退出装置
B１  カードフック
B１１  嵌合部
B１２  弾きアーム
B１３  位置限定凸片
【図１】
0003140946.tif 000003
【図２】
0003140946.tif 000004
【図３】
0003140946.tif 000005
【図４】
0003140946.tif 000006
【図５】
0003140946.tif 000007
【図６】
0003140946.tif 000008
【図７】
0003140946.tif 000009
【図８】
0003140946.tif 000010